(57)【要約】【課題】コンテンツの著作権を保護すると共に、従来では不可能であった光ディスク間でのコンテンツのコピーが可能な記録装置を提供する。【解決手段】録画装置１は、自身が取得したストリームデータを光ディスクに直接記録した場合に、記録先の光ディスクと記録対象のストリームデータとを管理しておく。録画装置１は、光ディスク間でストリームデータのコピーを行う場合に、自身の録画装置１で記録したストリームデータであるか否か、及びコピーの制限回数を満たすか否かに基づいて、コピー元の光ディスクに記録されているストリームデータのそれぞれが、コピー先の光ディスクへのコピーが可能であるか否かを判定する。そして、録画装置１は、コピー先の光ディスクへのコピーが可能であると判定されたストリームデータをコピー先の光ディスクにコピーする。【選択図】図２
2010244608.tif 000002
【特許請求の範囲】
【請求項１】
着脱可能な記録媒体にコンテンツデータを記録する記録装置において、
コンテンツデータ及び該コンテンツデータに対して予め設定されているコピーの制限回数を取得する取得手段と、
該取得手段が取得したコンテンツデータを記録媒体に記録させる際に、前記記録媒体を識別するための媒体識別情報、前記コンテンツデータを識別するためのコンテンツ識別情報、及び前記取得手段が取得した制限回数を対応付けて記憶する記憶手段とを備え、
第１の記録媒体に記録してあるコンテンツデータを第２の記録媒体にコピーする際に、前記記憶手段に記憶してある情報に基づいて、前記第１の記録媒体に記録してあるコンテンツデータのうちで、前記第２の記録媒体にコピー可能なコンテンツデータを一時的に記憶し、記憶したコンテンツデータを前記第２の記録媒体に記録するようにしてあることを特徴とする記録装置。
【請求項２】
前記取得手段が取得したコンテンツデータを前記記録媒体に記録させた場合に、前記記録媒体の媒体識別情報及び前記コンテンツデータのコンテンツ識別情報に対応付けて、コピー回数として１を前記記憶手段に記憶させ、前記第２の記録媒体にコピー可能なコンテンツデータを前記第２の記録媒体に記録した場合に、前記第１の記録媒体の媒体識別情報及び前記コンテンツデータのコンテンツ識別情報に対応付けて前記記憶手段に記憶してあるコピー回数に１を加算して更新する記憶制御手段を備えることを特徴とする請求項１に記載の記録装置。
【請求項３】
前記第１の記録媒体から前記第２の記録媒体にコピー可能なコンテンツデータのうちで、前記第２の記録媒体にコピーすべきコンテンツデータの選択を受け付ける選択受付手段を備え、
該選択受付手段が選択を受け付けたコンテンツデータを一時的に記憶し、記憶したコンテンツデータを前記第２の記録媒体に記録するようにしてあることを特徴とする請求項１又は２に記載の記録装置。
【請求項４】
前記第１の記録媒体の媒体識別情報及び前記第１の記録媒体に記録してあるコンテンツデータのコンテンツ識別情報を取得する手段と、
取得した媒体識別情報及びコンテンツ識別情報に対応付けて前記記憶手段に記憶してあるコピー回数が制限回数未満であるか否かを判定する手段とを備え、
前記コピー回数が制限回数未満であると判定されたコンテンツデータを、前記第２の記録媒体にコピー可能なコンテンツデータとするようにしてあることを特徴とする請求項１から３までのいずれかひとつに記載の記録装置。
【発明の詳細な説明】
【技術分野】
【０００１】
本発明は、コンテンツの内容を表すコンテンツデータをブルーレイディスク等の記録媒体に記録する記録装置に関する。
【背景技術】
【０００２】
テレビジョン放送又はコンテンツ配信等によって放送（配信）されたコンテンツを録画する録画装置（記録装置）が普及している。録画装置には、ハードディスク等の内蔵記録媒体に、コンテンツの映像又は音声等の内容を表すコンテンツデータを記録するものと、着脱可能な光ディスク等の可搬型の記録媒体にコンテンツデータを記録するものとがある。また、内蔵記録媒体と可搬型の記録媒体とのいずれにもコンテンツデータを記録できる録画装置も提供されている（特許文献１参照）。可搬型の記録媒体としては、ＤＶＤ（Digital Versatile Disc）が普及しているが、ＤＶＤ以上の記録容量を提供できるブルーレイディスク（Blu-ray Disc：登録商標）も利用されている。
【０００３】
近年では、デジタルハイビジョン放送の普及等に伴い、高画質のコンテンツが提供されている。高画質のコンテンツはデータ量が多いため、ハードディスク又はブルーレイディスクに録画する必要があるが、ハードディスクの記録容量を十分に確保するために、ブルーレイディスクにコンテンツデータを記録する機会が増えると考えられる。
【０００４】
一方で、著作権保護の観点から、コンテンツによっては、コピーが禁止されているもの、コピーの回数に制限があるもの等があり、現状では、１つのコンテンツに対してコピーの回数を１０回に制限するシステムが運用されている。このシステムによれば、例えば、テレビジョン放送又はコンテンツ配信等によって取得したコンテンツをハードディスクに録画した場合、ハードディスクからブルーレイディスクに９回までのコピーと１回のムーブが可能となる。
【先行技術文献】
【特許文献】
【０００５】
【特許文献１】特開２０００−２１５５４７号公報
【発明の概要】
【発明が解決しようとする課題】
【０００６】
上述したように、現状では、１つのコンテンツに対して最大で１０回のコピーが可能とされているが、テレビジョン放送又はコンテンツ配信等によって取得したコンテンツを直接ブルーレイディスクに録画した場合、このブルーレイディスクから他の記録媒体へのコピーは行えないという問題がある。
【０００７】
本発明は、斯かる事情に鑑みてなされたものであり、その目的とするところは、コンテンツの著作権を保護しつつ、可搬型の記録媒体間でのコンテンツのコピーを可能とする記録装置を提供することにある。
【課題を解決するための手段】
【０００８】
本発明に係る記録装置は、着脱可能な記録媒体にコンテンツデータを記録する記録装置において、コンテンツデータ及び該コンテンツデータに対して予め設定されているコピーの制限回数を取得する取得手段と、該取得手段が取得したコンテンツデータを記録媒体に記録させる際に、前記記録媒体を識別するための媒体識別情報、前記コンテンツデータを識別するためのコンテンツ識別情報、及び前記取得手段が取得した制限回数を対応付けて記憶する記憶手段とを備え、第１の記録媒体に記録してあるコンテンツデータを第２の記録媒体にコピーする際に、前記記憶手段に記憶してある情報に基づいて、前記第１の記録媒体に記録してあるコンテンツデータのうちで、前記第２の記録媒体にコピー可能なコンテンツデータを一時的に記憶し、記憶したコンテンツデータを前記第２の記録媒体に記録するようにしてあることを特徴とする。
【０００９】
本発明によれば、コンテンツデータを記録媒体に記録させる際に、記録先の記録媒体の媒体識別情報と、記録されるコンテンツデータのコンテンツ識別情報と、このコンテンツデータに予め設定されているコピーの制限回数とを対応付けて記憶手段に記憶しておく。よって、いずれのコンテンツデータをいずれの記録媒体に記録させたかを管理すると共に、各コンテンツデータのコピーの制限回数を管理する。そして、第１の記録媒体に記録してあるコンテンツデータを第２の記録媒体にコピーする際に、記憶手段に記憶してある情報に基づいて、第１の記録媒体に記録してあるコンテンツデータのうちで、第２の記録媒体にコピー可能なコンテンツデータを一時的に記憶した後、第２の記録媒体にコピーする。よって、各コンテンツデータに設定されているコピーの制限回数に基づいて、記録媒体間でのコンテンツデータのコピーを制限する。
【００１０】
本発明に係る記録装置は、前記取得手段が取得したコンテンツデータを前記記録媒体に記録させた場合に、前記記録媒体の媒体識別情報及び前記コンテンツデータのコンテンツ識別情報に対応付けて、コピー回数として１を前記記憶手段に記憶させ、前記第２の記録媒体にコピー可能なコンテンツデータを前記第２の記録媒体に記録した場合に、前記第１の記録媒体の媒体識別情報及び前記コンテンツデータのコンテンツ識別情報に対応付けて前記記憶手段に記憶してあるコピー回数に１を加算して更新する記憶制御手段を備えることを特徴とする。
【００１１】
本発明によれば、コンテンツデータを記録媒体に記録させた場合に、記録先の記録媒体の媒体識別情報、及び記録されたコンテンツデータのコンテンツ識別情報に対応付けて、コピー回数として１を記憶手段に記憶しておく。よって、いずれのコンテンツデータをいずれの記録媒体に記録させたかを管理する。また、第１の記録媒体に記録してあるコンテンツデータを第２の記録媒体にコピーした場合に、コピー元の第１の記録媒体の媒体識別情報と、コピー対象のコンテンツデータのコンテンツ識別情報とに対応付けて記憶手段に記憶してあるコピー回数に１を加算する。よって、いずれの記録媒体に記録させたいずれのコンテンツデータを何回コピーしたかを管理する。
【００１２】
本発明に係る記録装置は、前記第１の記録媒体から前記第２の記録媒体にコピー可能なコンテンツデータのうちで、前記第２の記録媒体にコピーすべきコンテンツデータの選択を受け付ける選択受付手段を備え、該選択受付手段が選択を受け付けたコンテンツデータを一時的に記憶し、記憶したコンテンツデータを前記第２の記録媒体に記録するようにしてあることを特徴とする。
【００１３】
本発明によれば、第１の記録媒体から第２の記録媒体にコピー可能なコンテンツデータのうちで、第２の記録媒体にコピーすべきコンテンツデータの選択を受け付け、選択を受け付けたコンテンツデータを第２の記録媒体にコピーする。
【００１４】
本発明に係る記録装置は、前記第１の記録媒体の媒体識別情報及び前記第１の記録媒体に記録してあるコンテンツデータのコンテンツ識別情報を取得する手段と、取得した媒体識別情報及びコンテンツ識別情報に対応付けて前記記憶手段に記憶してあるコピー回数が制限回数未満であるか否かを判定する手段とを備え、前記コピー回数が制限回数未満であると判定されたコンテンツデータを、前記第２の記録媒体にコピー可能なコンテンツデータとするようにしてあることを特徴とする。
【００１５】
本発明によれば、第１の記録媒体の媒体識別情報及び第１の記録媒体に記録してあるコンテンツデータのコンテンツ識別情報に対応付けて記憶手段に記憶してあるコピー回数が制限回数未満であるコンテンツデータが、第２の記録媒体にコピー可能なコンテンツデータとされる。
【発明の効果】
【００１６】
本発明では、コンテンツに対して予め設定されているコピーの制限回数を遵守することによってコンテンツの著作権を保護できると共に、著作権保護のために従来では不可能であった着脱可能な記録媒体間でのコンテンツのコピーが可能となる。
【図面の簡単な説明】
【００１７】
【図１】本実施形態の録画装置の外観を示す概念図である。
【図２】本実施形態の録画装置の内部構成を示すブロック図である。
【図３】記憶部の内部構成を示す模式図である。
【図４】録画装置による録画処理の手順を示すフローチャートである。
【図５】録画装置によるストリームデータの移動処理の手順を示すフローチャートである。
【図６】光ディスク間でストリームデータのコピーを行う際の処理を説明するための図である。
【図７】録画装置による光ディスク間でのストリームデータのコピー処理の手順を示すフローチャートである。
【図８】録画装置による光ディスク間でのストリームデータのコピー処理の手順を示すフローチャートである。
【発明を実施するための形態】
【００１８】
以下に、本発明に係る記録装置を、録画装置に適用した実施の形態を示す図面に基づき具体的に説明する。
【００１９】
図１は、本実施形態の録画装置１の外観を示す概念図である。録画装置１には、テレビジョン受像機である映像表示装置４が接続されており、録画装置１は、映像表示装置４に対して映像信号及び音声信号を出力する。映像表示装置４は、映像信号に基づいた映像を表示し、音声信号に基づいた音声を出力する。また録画装置１は、使用者によって操作されるリモコン（リモートコントローラ）５からの信号を受信することにより、録画の指示等の各種の指示を受け付ける。
【００２０】
図２は、本実施形態の録画装置１の内部構成を示すブロック図である。録画装置１は、図示しない外部のアンテナ等に接続されてあり、デジタル放送の放送波を復調した放送信号を入力される放送入力部３１と、図示しない外部チューナ等の外部装置から映像信号及び音声信号を入力される信号入力部３２とを備えている。更に録画装置１は、リモコン５からの信号を受信するリモコン受信部３３と、映像表示装置４へ映像信号を出力する信号出力部３４と、放送された番組（コンテンツ）の内容を表す番組データ（コンテンツデータ）を記録するハイブリッドドライブ部１０と、放送波から映像信号及び番組データを生成する処理を行うバックエンド部２０とを備えている。
【００２１】
バックエンド部２０は、デジタルチューナ２１及びエンコーダ２２を備えており、デジタルチューナ２１には放送入力部３１が接続され、エンコーダ２２には信号入力部３２が接続されている。デジタルチューナ２１は、放送入力部３１からデジタル放送の放送信号を入力され、選局されたチャンネル即ち特定の周波数帯の放送信号をＭＰＥＧ（Moving Picture Experts Group）−２ＴＳ（Transport Stream）等のデジタルのストリームデータに変換する。エンコーダ２２は、信号入力部３２から映像信号及び音声信号を入力され、映像信号及び音声信号をＭＰＥＧ−２ＰＳ（Program Stream）又はＭＰＥＧ−２ＴＳ等のデジタルのストリームデータにエンコードする処理を行う。
【００２２】
またバックエンド部２０は、ストリーム処理部２３を備えており、デジタルチューナ２１及びエンコーダ２２はストリーム処理部２３に接続されている。ストリーム処理部２３は、デジタルチューナ２１及びエンコーダ２２からストリームデータを入力され、デジタル放送用のスクランブルを解除する処理等のストリームデータに対するデータ処理を行う。なお、録画装置１は、更に、外部装置からストリームデータを受信するイーサネット（登録商標）又はｉ．ＬＩＮＫ等のデジタルインタフェースを備えていてもよい。これらのデジタルインタフェースも、ストリーム処理部２３に接続される。
【００２３】
ストリーム処理部２３は、バックエンド部２０内のシステムバスに接続されている。またシステムバスには、演算を行う演算部を含んでなる録画／再生制御部２４、揮発性メモリである制御用メモリ２５、不揮発性メモリである保存用メモリ２７、及びストリームデータをデコードするデコーダ２８が接続されている。またデコーダ２８には、画像処理部２９が接続されている。録画／再生制御部２４は、システムバスに接続された各部間でのデータの入出力を制御する処理を行う。また録画／再生制御部２４にはバックエンド部２０外のリモコン受信部３３が接続されており、録画／再生制御部２４は、リモコン受信部３３からの信号を入力されることにより、使用者からの各種の指示を受け付ける。
【００２４】
制御用メモリ２５は、ストリーム処理部２３又は録画／再生制御部２４等が実行する演算に伴う一時的な情報を記憶する。保存用メモリ２７は、録画／再生制御部２４の動作に必要な制御プログラム等の保存する必要がある情報を記憶する。デコーダ２８は、ストリームデータを映像信号及び音声信号へデコードし、映像信号及び音声信号を画像処理部２９へ入力する。画像処理部２９は、画素の補間又は色調整等の画像処理を映像信号に対して実行する。画像処理部２９にはバックエンド部２０外の信号出力部３４が接続されており、映像信号及び音声信号は信号出力部３４から映像表示装置４へ出力される。
【００２５】
更に、バックエンド部２０内のシステムバスには、ＳＡＴＡ（Serial Advanced Technology Attachment ）等のインタフェース部２６が接続されており、インタフェース部２６には、バックエンド部２０外のハイブリッドドライブ部１０が接続されている。バックエンド部２０は、インタフェース部２６を介してハイブリッドドライブ部１０との間でデータを交換する。
【００２６】
ハイブリッドドライブ部１０は、バックエンド部２０に接続するＳＡＴＡ等のインタフェース部１４と、光ディスクドライブ１１と、データを記憶する記憶部１２と、光ディスクドライブ１１及び記憶部１２の動作を制御するドライブ制御部１３とを備える。ハイブリッドドライブ部１０は、インタフェース部１４を介してバックエンド部２０との間でデータを交換する。光ディスクドライブ１１は、ブルーレイディスク又はＤＶＤ等の光ディスクを装着され、装着された光ディスクからのデータの読み出し、及び光ディスクへのデータの記録を行う。光ディスクは、光ディスクドライブ１１に対して着脱可能であり、本発明における記録媒体に相当する。記憶部１２は、フラッシュメモリ等の不揮発性メモリ又はハードディスクで構成されている。
【００２７】
バックエンド部２０のストリーム処理部２３でデータ処理されたストリームデータは、インタフェース部２６又はデコーダ２８へ転送される。インタフェース部２６へ転送された場合、ストリームデータは、インタフェース部２６を介してハイブリッドドライブ部１０へ入力され、ハイブリッドドライブ部１０の光ディスクドライブ１１に装着された光ディスク又は記憶部１２に記録される。一方、デコーダ２８へ転送された場合、ストリームデータは、デコーダ２８でデコードされ、画像処理部２９によって各種の画像処理を施された後、映像表示装置４でライブ表示される。なお、上述した各部を備えるバックエンド部２０は通常、１つのＳＯＣ（System on chip）と外部メモリとにより構成される。
【００２８】
図３は、記憶部１２の内部構成を示す模式図である。記憶部１２は、ディスクコピー管理領域及びストリーム記録領域等を有する。ディスクコピー管理領域には、自身の録画装置１が取得したストリームデータを自身のハイブリッドドライブ部１０によって光ディスクに録画した場合に、いずれのストリームデータをいずれの光ディスクに記録したかを示す管理情報が格納される。なお、管理情報は、管理番号、ディスクＩＤ、タイトル、制限回数、コピー回数等を含む。
【００２９】
一方、記憶部１２のストリーム記録領域には、自身の録画装置１がストリームデータを録画した光ディスク（コピー元の光ディスク）から他の光ディスク（コピー先の光ディスク）にストリームデータのコピーを行う場合に、コピー対象のストリームデータが一時的に記憶される。なお、コピー対象のストリームデータをストリーム記録領域に記憶させる場合、コピー元の光ディスクのディスクＩＤ及びコピー対象のストリームデータのタイトルを含む管理情報に対応付けられている管理番号もストリーム記録領域に記憶される。
【００３０】
以下に、本実施形態の録画装置１が、バックエンド部２０によってストリームデータを取得し、ハイブリッドドライブ部１０によって光ディスクに録画する場合に行う処理について説明する。図４は、録画装置１による録画処理の手順を示すフローチャートである。
【００３１】
本実施形態の録画装置１は、例えば、使用者が所定の操作を行ったリモコン５からの信号をリモコン受信部３３で受信することによって受け付けた録画予約情報に従って録画処理を行う。なお、録画予約情報は保存用メモリ２７等に格納しておく。本実施形態の録画装置１では、録画予約を設定する際に録画先の光ディスクも設定しておく。即ち、録画予約情報は、録画予約された番組の放送チャンネル、放送開始日時、放送終了日時、録画先（録画対象）の光ディスクのディスクＩＤ等を含む。
【００３２】
録画装置１が録画予約情報に基づいて、放送されるストリームデータを光ディスクへ録画する処理を実行する場合、録画／再生制御部２４は、ストリーム処理部２３によってデータ処理された録画対象のストリームデータに対して予め設定されているコピーの制限回数を取得する（Ｓ１）。ストリームデータには、例えば、コピーを禁止することを示す情報、１回のコピーを許可することを示す情報、１０回のコピーを許可することを示す情報、コピーを無制限に許可することを示す情報等のコピー制限情報が含まれて放送されてくる。
【００３３】
ステップＳ１では、ストリーム処理部２３が、デジタルチューナ２１からのストリームデータにデータ処理を行うことによって、ストリームデータのコピー制限情報を抽出する。そして、録画／再生制御部２４は、抽出されたコピー制限情報に基づいて、ストリームデータに対して設定されているコピーの制限回数を取得する。なお、録画／再生制御部２４は、コピー制限情報がコピーを禁止することを示す情報である場合、コピーの制限回数として０回を取得し、コピー制限情報がコピーを無制限に許可することを示す情報である場合、コピーの制限回数として無制限を取得する。なお、コピーの制限回数は、０回、１回、１０回、無制限に限らない。
【００３４】
録画／再生制御部２４は、取得した制限回数に従って、録画対象のストリームデータの録画が可能であるか否かを判断する（Ｓ２）。ステップＳ２では、録画／再生制御部２４は、ステップＳ１で取得した制限回数が０回であれば、録画が可能でないと判断し、０回以外であれば、録画が可能であると判断する。
【００３５】
録画／再生制御部２４は、録画対象のストリームデータの録画が可能でないと判断した場合（Ｓ２：ＮＯ）、即ち、取得した制限回数が０回であった場合、録画が禁止されている旨を通知するための録画不可メッセージを映像表示装置４に表示させる（Ｓ３）。ステップＳ３では、録画／再生制御部２４は、録画が禁止されている旨を通知する画面を表示するために必要な映像信号を生成し、デコーダ２８及び画像処理部２９を介して信号出力部３４から映像表示装置４へ出力する。映像表示装置４は、録画装置１からの映像信号に基づいて、録画不可メッセージを含む画面を表示する。録画／再生制御部２４は、本処理を終了する。
【００３６】
録画／再生制御部２４は、録画対象のストリームデータの録画が可能であると判断した場合（Ｓ２：ＹＥＳ）、即ち、取得した制限回数が０回以外であった場合、録画対象のストリームデータのタイトルを取得する（Ｓ４）。ストリームデータには、ストリームデータ（番組）のタイトル等の番組を識別するための情報が含まれて放送されてくる。ステップＳ４では、ストリーム処理部２３が、デジタルチューナ２１からのストリームデータにデータ処理を行うことによって、ストリームデータのタイトルを抽出する。そして、録画／再生制御部２４は、抽出されたタイトルを取得する。本実施形態では、ストリームデータを識別するためにストリームデータのタイトルを用いるが、ストリームデータを一意に特定できる情報であればタイトルに限らない。
【００３７】
一方、録画／再生制御部２４は、ドライブ制御部１３によって、光ディスクドライブ１１に装着されている光ディスクを識別するためのディスクＩＤを取得する（Ｓ５）。ディスクＩＤは、光ディスク中の所定の位置に予め記録されている情報であり、個々の光ディスクについて固有の情報である。例えば、光ディスクのＢＣＡ（Burst Cutting Area）に記録されたＢＣＡ情報を用いることができる。ステップＳ５では、ドライブ制御部１３は、光ディスク中の所定の位置に記録された情報を光ディスクドライブ１１に読み出させることにより、光ディスクのディスクＩＤを取得する。そして、ドライブ制御部１３は、取得したディスクＩＤを、インタフェース部１４を介してバックエンド部２０へ送出する。
【００３８】
録画／再生制御部２４は、取得したディスクＩＤに基づいて、保存用メモリ２７に格納してある録画予約情報が示す録画先の光ディスクが適切に装着されているか否かを判断する（Ｓ６）。ステップＳ６では、録画／再生制御部２４は、取得したディスクＩＤが、録画予約情報に含まれる録画先の光ディスクのディスクＩＤに一致するか否かを判断する。適切な光ディスクが装着されていると判断した場合（Ｓ６：ＹＥＳ）、即ち、ディスクＩＤが一致した場合、録画／再生制御部２４は、これから開始する録画処理に関する管理情報を生成し、記憶部１２のディスクコピー管理領域に記憶させる（Ｓ７）。
【００３９】
ステップＳ７では、録画／再生制御部２４は、これから開始する録画処理に対して１つの管理番号を割り当て、割り当てた管理番号と、ステップＳ５で光ディスクから取得したディスクＩＤと、ステップＳ４でストリームデータから取得したタイトルと、ステップＳ１でストリームデータから取得したコピーの制限回数とを対応付け、１つの管理情報を生成する。録画／再生制御部２４は、生成した管理情報をインタフェース部２６からハイブリッドドライブ部１０へ転送する。管理情報を取得したハイブリッドドライブ部１０では、ドライブ制御部１３が、取得した管理情報を記憶部１２のディスクコピー管理領域に記憶させる。
【００４０】
管理番号は、ディスクコピー管理領域に記憶された管理情報を識別するための番号であり、例えば、記憶された順番を示す番号でよい。また、ここでは、管理情報に含まれるコピー回数を記憶させる必要はないが、例えば、コピー回数として「０」を記憶させておいてもよい。また、図３に示した例では、コピーの制限回数及びコピー回数を１０進数で表しているが、これに限らない。
【００４１】
録画／再生制御部２４は、管理情報を記憶部１２のディスクコピー管理領域に記憶させた後、録画対象のストリームデータを、光ディスクドライブ１１に装着されている光ディスクに録画する（Ｓ８）。ステップＳ８では、録画／再生制御部２４は、ストリーム処理部２３によって処理された録画対象のストリームデータをインタフェース部２６からハイブリッドドライブ部１０へ転送する。ストリームデータを取得したハイブリッドドライブ部１０では、ドライブ制御部１３が、光ディスクドライブ１１に、装着されている光ディスクにストリームデータを記録させる。
【００４２】
録画／再生制御部２４は、保存用メモリ２７に格納してある録画予約情報が示す放送終了日時が経過したかに基づいて、ストリームデータの光ディスクへの録画処理が完了したか否かを判断する（Ｓ９）。完了していないと判断した場合（Ｓ９：ＮＯ）、即ち、放送終了日時がまだ経過していない場合、録画／再生制御部２４は、ステップＳ８へ処理を戻し、光ディスクへの録画処理を継続する。
【００４３】
録画処理が完了したと判断した場合（Ｓ９：ＹＥＳ）、即ち、放送終了日時が経過した場合、録画／再生制御部２４は、ステップＳ７で記憶部１２のディスクコピー管理領域に記憶させた管理情報のコピー回数に１を記憶させる（Ｓ１０）。そして、録画／再生制御部２４は、ストリームデータの録画処理を終了する。
【００４４】
一方、適切な光ディスクが装着されていないと判断した場合（Ｓ６：ＮＯ）、即ち、光ディスクから取得したディスクＩＤが、録画予約情報に含まれるディスクＩＤに一致しなかった場合、録画／再生制御部２４は、録画対象のストリームデータを、記憶部１２に録画する（Ｓ１１）。ステップＳ１１では、録画／再生制御部２４は、ストリーム処理部２３によって処理された録画対象のストリームデータをインタフェース部２６からハイブリッドドライブ部１０へ転送する。ストリームデータを取得したハイブリッドドライブ部１０では、ドライブ制御部１３が、記憶部１２の所定領域に、取得したストリームデータを記憶させる。なお、このとき、録画／再生制御部２４は、録画予約情報が示す録画先の光ディスクのディスクＩＤと、ステップＳ４でストリームデータから取得したタイトルと、ステップＳ１でストリームデータから取得したコピーの制限回数とを、ストリームデータに対応付けて記憶部１２に記憶させておく。なお、記憶部１２の所定領域は、ストリームデータを一時的に記憶しておくために用意された領域である。
【００４５】
録画／再生制御部２４は、保存用メモリ２７に格納してある録画予約情報が示す放送終了日時が経過したかに基づいて、ストリームデータの記憶部１２への録画処理が完了したか否かを判断する（Ｓ１２）。完了していないと判断した場合（Ｓ１２：ＮＯ）、即ち、放送終了日時がまだ経過していない場合、録画／再生制御部２４は、ステップＳ１１へ処理を戻し、記憶部１２への録画処理を継続する。録画処理が完了したと判断した場合（Ｓ１２：ＹＥＳ）、即ち、放送終了日時が経過した場合、録画／再生制御部２４は、ストリームデータの録画処理を終了する。
【００４６】
上述したように、録画装置１は、自身が取得したストリームデータを自身のハイブリッドドライブ部１０によって光ディスクに録画した場合に、この録画処理に関する管理情報をディスクコピー管理領域に記憶する。よって、録画装置１は、自身が取得したストリームデータを直接光ディスクに録画した場合に、いずれの光ディスクにいずれのストリームデータを録画したかを管理できる。また、録画処理を開始する際に、予め録画先として設定されていた光ディスクが装着されていなかった場合は、録画対象のストリームデータを記憶部１２に録画しておくことにより、録画処理の失敗を回避できる。
【００４７】
本実施形態の録画装置１は、上述したように、録画処理を開始する際に、予め録画先に設定されていた光ディスクが装着されていなかった場合、ストリームデータを記憶部１２に録画しておく。そして、予め録画先に設定されていた光ディスクが装着された場合に、録画装置１は、記憶部１２に記憶させたストリームデータを記憶部１２から光ディスクへ移動させる。以下に、記憶部１２に記憶させたストリームデータを光ディスクに移動させる処理について説明する。図５は、録画装置１によるストリームデータの移動処理の手順を示すフローチャートである。
【００４８】
録画／再生制御部２４は、ドライブ制御部１３によって、光ディスクドライブ１１に光ディスクが装着されているか否かを判断し（Ｓ２１）、装着されていないと判断した場合（Ｓ２１：ＮＯ）、装着されるまで待機する。光ディスクが装着されたと判断した場合（Ｓ２１：ＹＥＳ）、録画／再生制御部２４は、ドライブ制御部１３によって、光ディスクドライブ１１に装着されている光ディスクのディスクＩＤを取得する（Ｓ２２）。ステップＳ２２では、ドライブ制御部１３が、光ディスク中の所定の位置に記録されたディスクＩＤを光ディスクドライブ１１によって読み出し、インタフェース部１４を介してバックエンド部２０へ送出する。
【００４９】
録画／再生制御部２４は、取得したディスクＩＤが、ストリームデータに対応付けて記憶部１２に記憶されているディスクＩＤに一致するか否かに基づいて、装着された光ディスクに移動させる必要があるストリームデータがあるか否かを判断する（Ｓ２３）。ここで、ストリームデータに対応付けて記憶部１２に記憶されているディスクＩＤとは、録画装置１が録画予約情報に従って録画処理を行った際に、録画先として設定されていたが、光ディスクドライブ１１に装着されていなかった光ディスクのディスクＩＤである。
【００５０】
装着された光ディスクに移動させる必要があるストリームデータがないと判断した場合（Ｓ２３：ＮＯ）、即ち、ディスクＩＤが一致しなかった場合、録画／再生制御部２４は、本処理を終了する。
【００５１】
装着された光ディスクに移動させる必要があるストリームデータがあると判断した場合（Ｓ２３：ＹＥＳ）、即ち、ディスクＩＤが一致した場合、録画／再生制御部２４は、このストリームデータの録画処理に関する管理情報を生成し、記憶部１２のディスクコピー管理領域に記憶させる（Ｓ２４）。ステップＳ２４では、録画／再生制御部２４は、装着された光ディスクから取得したディスクＩＤに一致したディスクＩＤと共にストリームデータに対応付けて記憶部１２に記憶されていたストリームデータのタイトルとコピーの制限回数とを、ドライブ制御部１３によって記憶部１２から読み出す。録画／再生制御部２４は、１つの管理番号を割り当て、割り当てた管理番号と、ステップＳ２２で光ディスクから取得したディスクＩＤと、記憶部１２から読み出したタイトル及びコピーの制限回数とを対応付け、１つの管理情報を生成する。また、録画／再生制御部２４は、生成した管理情報をインタフェース部２６からハイブリッドドライブ部１０へ転送し、ドライブ制御部１３が、取得した管理情報を記憶部１２のディスクコピー管理領域に記憶させる。
【００５２】
録画／再生制御部２４は、管理情報を記憶部１２のディスクコピー管理領域に記憶させた後、記憶部１２から光ディスクへ移動すべきストリームデータを光ディスクにコピーする（Ｓ２５）。ステップＳ２５では、ドライブ制御部１３が、移動すべきストリームデータを記憶部１２から読み出して光ディスクドライブ１１へ転送し、転送したストリームデータを、光ディスクドライブ１１に装着されている光ディスクにコピーする。
【００５３】
録画／再生制御部２４は、記憶部１２に記憶されていたストリームデータのコピー処理が完了したか否かを判断しており（Ｓ２６）、完了していないと判断した場合（Ｓ２６：ＮＯ）、ステップＳ２５へ処理を戻し、光ディスクへのコピー処理を継続する。コピー処理が完了したと判断した場合（Ｓ２６：ＹＥＳ）、録画／再生制御部２４は、ステップＳ２４で記憶部１２のディスクコピー管理領域に記憶させた管理情報のコピー回数に１を記憶させる（Ｓ２７）。録画／再生制御部２４は、光ディスクにコピーしたストリームデータと、このストリームデータに対応付けて記憶部１２に記憶されていたディスクＩＤ、タイトル及びコピーの制限回数とを、ドライブ制御部１３によって記憶部１２から削除し（Ｓ２８）、ストリームデータの移動処理を終了する。
【００５４】
上述したように、本実施形態の録画装置１は、録画処理の際に、予め録画先に設定されていた光ディスクが装着されていなかった場合、ストリームデータを記憶部１２に録画しておき、録画先の光ディスクが装着された時点で、記憶部１２に記憶させておいたストリームデータを光ディスクへ移動する。これにより、適切な光ディスクが装着されていないことによる録画処理の失敗を回避できると共に、適切な光ディスクが装着された時点で、録画予約情報にて設定されていた録画処理を確実に行うことができる。また、一時的に記憶部１２に記憶させたストリームデータは、光ディスクにコピーされた時点で記憶部１２から消去されるので、ストリームデータに対するコピー制限も遵守でき、著作権を保護できる。
【００５５】
次に、本実施形態の録画装置１が、光ディスク間でストリームデータをコピーする際に行う処理について説明する。図６は、光ディスク間でストリームデータのコピーを行う際の処理を説明するための図、図７及び図８は、録画装置１による光ディスク間でのストリームデータのコピー処理の手順を示すフローチャートである。
【００５６】
本実施形態の録画装置１では、自身のバックエンド部２０が取得したストリームデータを自身のハイブリッドドライブ部１０によって光ディスクに録画した場合にのみ、この光ディスクから他の光ディスクにストリームデータのコピーが可能である。即ち、他の録画装置によって光ディスクに録画されたストリームデータを他の光ディスクにコピーすることはできない。このように光ディスク間でのストリームデータのコピーを制限することにより、ストリームデータの無制限のコピーを防止して著作権を保護できる。
【００５７】
図６の上側には、コピー元の光ディスクに格納されているディスク情報を示している。図６の上側の例では、コピー元の光ディスクとして、ディスクＩＤが「１１１１」の光ディスクを示しており、このコピー元の光ディスクには、タイトルが「ＡＡＡ」、「ＢＢＢ」、「ＦＦＦ」、「ＧＧＧ」、「ＨＨＨ」、「ＺＺＺ」のストリームデータが録画されていることを示している。図６の下側には、コピー先の光ディスクに格納されているディスク情報を示している。図６の下側の例では、コピー先の光ディスクとして、ディスクＩＤが「９９９９」の光ディスクを示している。なお、コピー先の光ディスクは、以下に説明する光ディスク間でのストリームデータのコピー処理が終了した時点の状態を示している。
【００５８】
コピー元の光ディスクが光ディスクドライブ１１に装着された状態で、光ディスク間でのストリームデータのコピーが要求された場合、録画／再生制御部２４は、ドライブ制御部１３によって、記憶部１２のストリーム記録領域内にデータが記憶されているか否かを判断する（Ｓ３１）。記憶部１２のストリーム記録領域内にデータが記憶されていると判断した場合（Ｓ３１：ＹＥＳ）、録画／再生制御部２４は、ドライブ制御部１３によって、記憶部１２のストリーム記録領域内のデータを削除しておく（Ｓ３２）。記憶部１２のストリーム記録領域内にデータが記憶されていないと判断した場合（Ｓ３１：ＮＯ）、録画／再生制御部２４は、ステップＳ３２の処理をスキップする。
【００５９】
録画／再生制御部２４は、ドライブ制御部１３によって、光ディスクドライブ１１に装着されたコピー元の光ディスクから、コピー元の光ディスクのディスクＩＤを取得する（Ｓ３３）。ステップＳ３３では、ドライブ制御部１３が、光ディスク中の所定の位置に記録されたディスクＩＤを光ディスクドライブ１１によって読み出し、インタフェース部１４を介してバックエンド部２０へ送出する。図６に示したコピー元の光ディスクの例では、コピー元の光ディスクのディスクＩＤとして「１１１１」が取得される。
【００６０】
録画／再生制御部２４は、取得したディスクＩＤを含む管理情報が記憶部１２のディスクコピー管理領域に記憶されているか否かを判断する（Ｓ３４）。ステップＳ３４では、録画／再生制御部２４は、ドライブ制御部１３によって、記憶部１２のディスクコピー管理領域に記憶されている各管理情報に含まれるディスクＩＤを読み出しておき、装着されている光ディスクから取得したディスクＩＤが、記憶部１２から読み出したディスクＩＤに含まれているか否かを判断する。
【００６１】
光ディスクから取得したディスクＩＤを含む管理情報がディスクコピー管理領域に記憶されていない場合、このコピー元の光ディスクに記録してあるストリームデータは、自身の録画装置１によって録画したものではない。一方、光ディスクから取得したディスクＩＤを含む管理情報がディスクコピー管理領域に記憶されている場合、このコピー元の光ディスクに記録してあるストリームデータは、自身の録画装置１によって録画したものである。
【００６２】
光ディスクから取得したディスクＩＤを含む管理情報が記憶部１２のディスクコピー管理領域に記憶されていないと判断した場合（Ｓ３４：ＮＯ）、録画／再生制御部２４は、コピーできない旨を通知するためのコピー不可メッセージを映像表示装置４に表示させる（Ｓ３７）。ステップＳ３７では、録画／再生制御部２４は、コピーが禁止されている旨を通知する画面を表示するために必要な映像信号を生成し、デコーダ２８及び画像処理部２９を介して信号出力部３４から映像表示装置４へ出力する。映像表示装置４は、録画装置１からの映像信号に基づいて、コピー不可メッセージを含む画面を表示する。
【００６３】
録画／再生制御部２４は、ドライブ制御部１３によって光ディスクドライブ１１を操作し、光ディスクドライブ１１に装着されていたコピー元の光ディスクを排出する（Ｓ３８）。そして、録画／再生制御部２４は、光ディスク間でのコピー処理を終了する。
【００６４】
光ディスクから取得したディスクＩＤを含む管理情報が記憶部１２のディスクコピー管理領域に記憶されていると判断した場合（Ｓ３４：ＹＥＳ）、録画／再生制御部２４は、ドライブ制御部１３によって、光ディスクドライブ１１に装着されているコピー元の光ディスクから、この光ディスクに記録されているストリームデータのタイトルを取得する（Ｓ３５）。ステップＳ３５では、ドライブ制御部１３が、光ディスクに記録されているストリームデータのタイトルを光ディスクドライブ１１によって読み出し、インタフェース部１４を介してバックエンド部２０へ送出する。図６に示したコピー元の光ディスクの例では、コピー元の光ディスクに記録されているストリームデータのタイトルとして「ＡＡＡ」、「ＢＢＢ」、「ＦＦＦ」、「ＧＧＧ」、「ＨＨＨ」、「ＺＺＺ」が取得される。
【００６５】
なお、光ディスクに記録されているストリームデータのタイトルは、例えば、図６に示すようにディスク情報としてまとめて所定の領域に格納されている場合がある。従って、この場合は、光ディスク中の所定の位置を読み取ることによって、コピー元の光ディスクに記録されているストリームデータのタイトルをまとめて取得できる。
【００６６】
録画／再生制御部２４は、コピー元の光ディスクに記憶されているストリームデータにおいて、コピー先の光ディスクへのコピーが可能なストリームデータが有るか否かを判断する（Ｓ３６）。ステップＳ３６では、まず、録画／再生制御部２４は、ステップＳ３３で取得したコピー元の光ディスクのディスクＩＤ及びステップＳ３５で取得したコピー元の光ディスクに記録されているストリームデータのタイトルを含む管理情報を、ドライブ制御部１３によって記憶部１２のディスクコピー管理領域から読み出す。図３及び６に示した例では、図３中の管理番号が１，２，６，７，８である管理情報が、記憶部１２のディスクコピー管理領域から読み出される。なお、タイトル「ＺＺＺ」を含む管理情報は記憶部１２に記憶されていないので、コピー元の光ディスクに記録されているタイトル「ＺＺＺ」のストリームデータは、他の録画装置で録画されたと判断でき、録画装置１でのコピーは禁止される。
【００６７】
なお、ステップＳ３３で取得したディスクＩＤ及びステップＳ３５で取得したタイトルを含む管理情報が、記憶部１２のディスクコピー管理領域に全く記憶されていない場合、録画／再生制御部２４は、コピー先の光ディスクへのコピーが可能なストリームデータが無いと判断する。この場合も、ステップＳ３５で取得したタイトルのストリームデータは、他の録画装置で録画されたデータであるので、録画装置１でのコピーは禁止される。
【００６８】
録画／再生制御部２４は、次に、読み出した各管理情報に含まれるコピー回数が制限回数未満である管理情報を特定し、特定した管理情報のタイトルが示すストリームデータがコピー可能なストリームデーであると判定する。図３に示した例では、コピー回数が「１」で制限回数が「１０」であるタイトル「ＡＡＡ」のストリームデータと、コピー回数が「４」で制限回数が「１０」であるタイトル「ＢＢＢ」のストリームデータと、コピー回数が「９」で制限回数が「１０」であるタイトル「ＧＧＧ」のストリームデータとがコピー可能であると判定される。なお、タイトル「ＦＦＦ」及び「ＨＨＨ」は、コピー回数と制限回数が同じであるので、許可された回数のコピーが既に行われたと判断でき、更なるコピーは禁止される。
【００６９】
コピー先の光ディスクへのコピーが可能なストリームデータが無いと判断した場合（Ｓ３６：ＮＯ）、録画／再生制御部２４は、コピー可能なストリームデータがない旨を通知するためのコピー不可メッセージを映像表示装置４に表示させる（Ｓ３７）。ステップＳ３７では、録画／再生制御部２４は、コピー可能なストリームデータがないことを通知する画面を表示するために必要な映像信号を生成し、デコーダ２８及び画像処理部２９を介して信号出力部３４から映像表示装置４へ出力する。映像表示装置４は、録画装置１からの映像信号に基づいて、コピー不可メッセージを含む画面を表示する。録画／再生制御部２４は、ドライブ制御部１３によって光ディスクドライブ１１を操作し、光ディスクドライブ１１に装着されていたコピー元の光ディスクを排出する（Ｓ３８）。そして、録画／再生制御部２４は、光ディスク間でのコピー処理を終了する。
【００７０】
コピー先の光ディスクへのコピーが可能なストリームデータが有ると判断した場合（Ｓ３６：ＹＥＳ）、録画／再生制御部２４は、コピーが可能であると判定されたストリームデータをコピー先の光ディスクから記憶部１２のストリーム記録領域にコピーする（Ｓ３９）。ステップＳ３９では、ドライブ制御部１３は、コピーが可能なストリームデータを光ディスクドライブ１１によって光ディスクから読み出して記憶部１２に転送し、記憶部１２のストリーム記録領域に記憶させる。そして、録画／再生制御部２４は、ドライブ制御部１３によって光ディスクドライブ１１を操作し、光ディスクドライブ１１に装着されていたコピー元の光ディスクを排出する（Ｓ４０）。
【００７１】
次に、録画／再生制御部２４は、コピー先の光ディスクの装着を促すためのメッセージを映像表示装置４に表示させる（Ｓ４１）。ステップＳ４１では、録画／再生制御部２４は、コピー先の光ディスクの装着を要求する画面を表示するために必要な映像信号を生成し、デコーダ２８及び画像処理部２９を介して信号出力部３４から映像表示装置４へ出力する。映像表示装置４は、録画装置１からの映像信号に基づいて、コピー先の光ディスクの装着メッセージを含む画面を表示する。
【００７２】
録画／再生制御部２４は、ドライブ制御部１３によって、光ディスクドライブ１１に光ディスクが装着されたか否かを判断し（Ｓ４２）、装着されていないと判断した場合（Ｓ４２：ＮＯ）、ステップＳ４１に処理を戻し、コピー先の光ディスクの装着メッセージの表示を継続する（Ｓ４１）。コピー先の光ディスクが装着されたと判断した場合（Ｓ４２：ＹＥＳ）、録画／再生制御部２４は、コピー先の光ディスクへのコピー対象とするストリームデータの選択を受け付けるための選択画面を映像表示装置４に表示させる（Ｓ４３）。
【００７３】
選択画面は、コピーが可能であると判定され、コピー元の光ディスクから記憶部１２のストリーム記録領域に一時的にコピーされたストリームデータのタイトルを表示すると共に、表示したタイトルから、コピー先の光ディスクへのコピー対象とするストリームデータのタイトルの選択を受け付ける。ステップＳ４３では、録画／再生制御部２４は、選択画面を表示するために必要な映像信号を生成し、デコーダ２８及び画像処理部２９を介して信号出力部３４から映像表示装置４へ出力する。映像表示装置４は、録画装置１からの映像信号に基づいて、コピー対象のストリームデータの選択画面を表示する。
【００７４】
選択画面を確認した使用者は、リモコン５を操作することによって、コピーしたいストリームデータのタイトルを選択する。使用者からの所定の操作を受け付けたリモコン５が送信した所定の信号をリモコン受信部３３が受信することによって、録画／再生制御部２４は、コピー対象のストリームデータの選択を受け付ける。録画／再生制御部２４は、選択画面を介して選択された、コピー対象のストリームデータのタイトルを取得する（Ｓ４４）。例えば、使用者がタイトル「ＢＢＢ」、「ＧＧＧ」をコピーしたい場合、録画／再生制御部２４は、コピー対象のストリームデータのタイトルとして「ＢＢＢ」、「ＧＧＧ」を取得する。
【００７５】
録画／再生制御部２４は、取得したタイトルのストリームデータのうちの１つを選択し、ドライブ制御部１３によって、記憶部１２のストリーム記録領域からコピー先の光ディスクにコピーする（Ｓ４５）。ステップＳ４５では、ドライブ制御部１３が、コピーすべきストリームデータを記憶部１２のストリーム記録領域から読み出して光ディスクドライブ１１へ転送する。また、ドライブ制御部１３は、転送したストリームデータを、光ディスクドライブ１１によって、光ディスクドライブ１１に装着されている光ディスクに記録させる。
【００７６】
録画／再生制御部２４は、コピー先の光ディスクにコピーしたストリームデータに対して記憶部１２のディスクコピー管理領域に記憶してある管理情報のコピー回数に１を加算して更新する（Ｓ４６）。ステップＳ４６では、録画／再生制御部２４は、コピー先の光ディスクにコピーしたストリームデータに対応付けて記憶部１２のストリーム記録領域に記憶されていた管理番号に基づいて、この管理番号で記憶部１２のディスクコピー管理領域に記憶されている管理情報のコピー回数を特定できる。そして、録画／再生制御部２４は、特定したコピー回数に１を加えた値を、ドライブ制御部１３によって記憶部１２のディスクコピー管理領域の対応する箇所に上書きする。
【００７７】
録画／再生制御部２４は、コピー回数を更新した場合に、更新したコピー回数が、このコピー回数に対応する制限回数未満であるか否かを判断する（Ｓ４７）。ステップＳ４７では、録画／再生制御部２４は、ドライブ制御部１３によって更新したコピー回数に対応する制限回数を、ドライブ制御部１３によって読み出し、更新したコピー回数が読み出した制限回数未満であるかを判断する。
【００７８】
更新したコピー回数が制限回数以上であると判断した場合（Ｓ４７：ＮＯ）、このストリームデータはこれ以上のコピーが禁止されるので、録画／再生制御部２４は、ドライブ制御部１３によって、このストリームデータを記憶部１２のストリーム記録領域から削除する（Ｓ４８）。
【００７９】
更新したコピー回数が制限回数未満であると判断した場合（Ｓ４７：ＹＥＳ）、録画／再生制御部２４は、ステップＳ４８の処理をスキップし、ステップＳ４４で取得した全てのタイトルのストリームデータのコピーが終了したか否かを判断する（Ｓ４９）。全てのコピーが終了していないと判断した場合（Ｓ４９：ＮＯ）、録画／再生制御部２４は、ステップＳ４５に処理を戻す。録画／再生制御部２４は、ステップＳ４４で取得したタイトルのストリームデータのうちの１つを選択し、ドライブ制御部１３によって、記憶部１２のストリーム記録領域からコピー先の光ディスクにコピーする（Ｓ４５）。そして、録画／再生制御部２４は、コピー先の光ディスクにコピーしたストリームデータに対して、ステップＳ４６〜Ｓ４８の処理を繰り返す。
【００８０】
全てのコピーが終了したと判断した場合（Ｓ４９：ＹＥＳ）、録画／再生制御部２４は、ドライブ制御部１３によって光ディスクドライブ１１を操作し、光ディスクドライブ１１に装着されていたコピー先の光ディスクを排出する（Ｓ５０）。そして、録画／再生制御部２４は、光ディスク間でのコピー処理を終了する。
【００８１】
図３及び図６に示した例では、ステップＳ４４で、録画／再生制御部２４は、コピー対象のストリームデータのタイトルとして「ＢＢＢ」及び「ＧＧＧ」を取得し、ステップＳ４５で、タイトル「ＢＢＢ」のストリームデータをコピー先の光ディスクにコピーする。そして、ステップＳ４６で、録画／再生制御部２４は、このストリームデータに対するコピー回数に１を加算して「５」に更新する。なお、このコピー回数「５」は、制限回数「１０」未満であるので、録画／再生制御部２４は、タイトル「ＢＢＢ」に対してはステップＳ４８の処理をスキップする。
【００８２】
また、録画／再生制御部２４は、ステップＳ４５で、タイトル「ＧＧＧ」のストリームデータをコピー先の光ディスクにコピーした場合、このストリームデータに対するコピー回数に１を加算して「１０」に更新する。この場合、コピー回数「１０」は、制限回数「１０」以上となったので、録画／再生制御部２４は、タイトル「ＧＧＧ」のストリームデータのこれ以上のコピーを禁止し、ステップＳ４８で、タイトル「ＧＧＧ」のストリームデータを記憶部１２のストリーム記録領域から削除する。
【００８３】
図６の下側には、コピー元の光ディスクからタイトル「ＢＢＢ」、「ＧＧＧ」のストリームデータがコピー先の光ディスクにコピーされた場合のコピー先の光ディスクのディスク情報を示している。図６の下側の例では、コピー先の光ディスクには、タイトルが「ＢＢＢ」、「ＧＧＧ」のストリームデータが録画されていることを示している。なお、それぞれのストリームデータに設定されたコピーの制限回数内であれば、同一のストリームデータを複数回連続してコピーすることは可能である。従って、使用者が操作部を介してコピー処理の終了を指示するまで、記憶部１２に記憶させたストリームデータを複数の光ディスクに連続してコピーするようにしてもよい。
【００８４】
以上詳述した如く、本実施形態の録画装置１は、自身がストリームデータを取得して光ディスクに記録した場合に、記録先の光ディスクと記録対象のストリームデータと、このストリームデータに対するコピーの制限回数とコピー回数とを管理しておく。録画装置１は、光ディスク間でストリームデータのコピーを行う場合に、コピー元の光ディスクに記録されているストリームデータのそれぞれが、自身の録画装置１で録画したストリームデータであるか否かの判定と、このストリームデータのコピー回数が制限回数未満であるか否かの判定とを行う。そして、自身の録画装置１で録画したストリームデータであり、且つ、コピー回数が制限回数未満である場合に、他の光ディスクへのコピーを許可する。これにより、録画装置１では、コンテンツに対して予め設定されているコピーの制限回数を遵守することによってコンテンツの著作権を保護できると共に、著作権保護のために従来では不可能であった光ディスク間でのコンテンツのコピーが可能となる。
【００８５】
なお、本実施形態においては、光ディスクのそれぞれに固有の情報として光ディスクに予め記録されているディスクＩＤを使用する形態を示したが、これに限るものではなく、本発明では、光ディスク毎に異なる情報を光ディスクに書き込み、書き込んだ情報をディスクＩＤとして利用してもよい。また本実施形態においては、デジタルチューナ２１で放送信号を受信する形態を示したが、本発明はアナログ放送の放送信号を受信するアナログチューナを備えた形態であってもよい。アナログチューナを備えた形態では、アナログチューナはエンコーダ２２に接続される。
【００８６】
また本実施形態においては、本発明における着脱可能な記録媒体として光ディスクを用いる形態を示したが、これに限るものではなく、本発明は、着脱可能な記録媒体として、可搬型のハードディスク又はメモリカード等、その他の記録媒体を用いる形態であってもよい。また本実施形態においては、本発明の記録装置は録画装置１であるとしたが、これに限るものではなく、本発明の記録装置は、映像表示装置４と録画装置１とが一体となった形態であってもよい。また本実施形態においては、本発明の記録装置としてテレビジョン放送により放送された番組の番組データを記録する形態を示したが、これに限るものではなく、本発明の記録装置は、音声放送又はデータ放送等、テレビジョン放送以外の放送で放送される番組の番組データを記録する形態であってもよい。
【００８７】
本実施形態の録画装置１は、図３に示すように、記憶部１２のディスクコピー管理領域において、それぞれのストリームデータに対するコピーの制限回数と、既に実行されたコピー回数とを管理する。そして、録画装置１は、それぞれのストリームデータに対するコピーの制限回数と、コピー回数とを比較することによって、いずれのストリームデータがコピー可能であるかを判定していた。このような構成のほかに、例えば、それぞれのストリームデータがコピー可能であるか否かを示す情報を管理しておくことにより、いずれのストリームデータがコピー可能であるかを判定してもよい。この場合、例えば、録画装置１は、１回のコピーが許可されているストリームデータを取得して光ディスク又は記憶部１２に録画した時点で、このストリームデータを、コピーが可能でないことを示す情報と共に管理する。また、複数回のコピーが許可されているストリームデータについては、録画装置１は、許可されている回数のコピーが完了した時点で、このストリームデータを、コピーが可能でないことを示す情報と共に管理する。
【００８８】
本実施形態の録画装置１は、光ディスク間でのコピー処理において、コピー元の光ディスクが装着され、コピー元の光ディスクにコピー可能なストリームデータが記録されていると判定した時点で、コピー可能な全てのストリームデータを記憶部１２のストリーム記録領域に一旦記憶させていた。そして、その後、コピー先の光ディスクにコピーすべきストリームデータの選択を受け付け、コピー先の光ディスクへのコピーを行っていた。このような構成のほかに、コピー元の光ディスクにコピー可能なストリームデータが記録されていると判定した時点で、コピー可能なストリームデータのうちから、コピー先の光ディスクにコピーすべきストリームデータの選択を受け付けるようにしてもよい。この場合、コピー対象ではないストリームデータを光ディスクから記憶部１２に記憶させないので、無駄なコピー処理を抑制できる。
【００８９】
本実施形態の録画装置１は、録画予約情報に従ってストリームデータを光ディスクに録画する際に、録画予約しておいた光ディスクが装着されていない場合には、録画すべきストリームデータを記憶部１２に一旦記憶させていた。そして、録画装置１は、適切な光ディスクが装着された場合に、記憶部１２から光ディスクにストリームデータを移動させると共に、移動先の光ディスク及び移動させたストリームデータを管理するための管理情報を生成し、記憶部１２のディスクコピー管理領域に記憶させていた。しかし、録画予約情報にて録画先の光ディスクを予め設定しておく必要はなく、録画予約情報に従って録画処理を開始させる時点で装着されている光ディスクに録画処理を行う構成の録画装置であってもよい。このような録画装置においても、管理情報にて、いずれの光ディスクにいずれのストリームデータを録画したかを把握できる。
【００９０】
本実施形態の録画装置１は、光ディスクドライブ１１に１枚の光ディスクしか装着できない構造とした。従って、光ディスク間でのコピーを行う場合、コピー対象のストリームデータをコピー元の光ディスクから一旦記憶部１２に記憶しておき、光ディスクドライブ１１に装着される光ディスクをコピー元の光ディスクからコピー先の光ディスクに交換した後、記憶部１２に記憶しておいたストリームデータをコピー先の光ディスクにコピーする手順となる。光ディスクドライブ１１の構成はこれに限らず、複数枚の光ディスクの装着が可能な光ディスクドライブ１１、又は複数枚の光ディスクを順次切り替えて光ディスクドライブ１１にセットできるディスクチェンジャー等を録画装置１に備えてもよい。
【符号の説明】
【００９１】
１  録画装置（記録装置）
１０  ハイブリッドドライブ部
１１  光ディスクドライブ
１２  記憶部
１３  ドライブ制御部
２０  バックエンド部
２１  デジタルチューナ
２３  ストリーム処理部
２４  録画／再生制御部
２７  保存用メモリ
【図１】
2010244608.tif 000003
【図２】
2010244608.tif 000004
【図３】
2010244608.tif 000005
【図４】
2010244608.tif 000006
【図５】
2010244608.tif 000007
【図６】
2010244608.tif 000008
【図７】
2010244608.tif 000009
【図８】
2010244608.tif 000010